(57)【要約】【課題】審美性を向上させ、かついたずらによる停電灯の破損および紛失を防止すると共に、停電時の消費電力を抑える。【解決手段】乗りかごの天井面に設けられた取り付け部と、一端を回動自在に取り付けられ、停電時、乗りかごの内部に光を照明するための開口部を有する金属ケースと、金属ケースの内部に収容され、停電時、開口部から乗りかごの内部に光を照明する停電灯と、金属ケースに設けられ、停電時、自重により金属ケースが乗りかごの内部に陥入するのを阻止する金具と、通電時、金属ケースを乗りかごの天井面上に保持する一方、通電再開後に停電灯が乗りかご内から見えないように、金属ケースを前記乗りかごの天井面上に収納するロープ、モータとを設けた構成である。【選択図】    図１
2004277154.tif 000002
【特許請求の範囲】
【請求項１】
乗りかごの天井面に形成された第１の開口部を通して前記天井面の上部に所定の収納部を形成した取り付け部と、
この取り付け部の収納部内に回動可能に軸支され、この軸支側とは反対側の面部に第２の開口部が形成されたケース部と、
このケース部の内部に取付けられ、停電時に点灯する停電灯と、
前記ケース部に形成された第２の開口部側の面部に突起体が取付けられ、通電時には前記収納部に前記ケース部を保持する一方、停電時には自重によって当該ケース部が回動したとき、前記第２の開口部が前記乗りかご内を所定の回動角度で臨むような位置で前記突起体を受け止めるケース位置決め手段とを備え、
停電時、前記停電灯から第２の開口部を通して乗りかご内部を照明することを特徴とするエレベータの停電灯装置。
【請求項２】
請求項１に記載のエレベータの停電灯装置において、
停電復電後、前記ケース部を前記第１の開口部から前記乗りかご天井上部の収納部に引き上げ収納するケース収納手段を設けたことを特徴とするエレベータの停電灯装置。
【請求項３】
乗りかごの一側面側に形成された第１の開口部を通して、前記乗りかごの一側面側に所定の収納部を形成した取り付け部と、
この取り付け部の収納部内に上端が回動可能に軸支され、下端面部に第２の開口部が形成されたケース部と、
このケース部の内部に取付けられ、停電時に点灯する停電灯と、
常時、前記ケース部を前記乗りかごの内部に押し出す押動手段と、
この押動手段による前記ケース部の押し出しにより当該ケース部が回動したとき、前記第２の開口部が前記乗りかご内を所定の回動角度で臨むような位置で阻止するケース位置決め手段と、
通電時には前記押動手段による押し出しに抗して前記ケース部を前記収納部に収納するケース収納手段と
を備えたことを特徴とするエレベータの停電灯装置。
【請求項４】
請求項２又は請求項３に記載のエレベータの停電灯装置において、
前記ケース収納手段は、
前記停電灯を内部に収納する前記ケース部を釣支するロープと、通電時、前記ロープを巻き取るための駆動装置とを備えてなることを特徴とするエレベータの停電灯装置。
【請求項５】
請求項１ないし請求項３の何れか一項に記載のエレベータの停電灯装置において、
前記ケース部は、
磁性材料で構成され、かつ、通電時、前記ケース部を前記所定の収納部に保持する電磁石を、さらに設けたことを特徴とするエレベータの停電灯装置。
【発明の詳細な説明】
【０００１】
【発明の属する技術分野】
本発明は、エレベータの乗りかごに設けられるエレベータの停電灯装置に関する。
【０００２】
【従来の技術】
近年における建築技術の進歩による建築物の高層化に伴い、エレベータは、建築物にとって必要不可欠なものとなっている。
【０００３】
一般に、エレベータの乗りかごには、停電時、利用者に対して不快な感情を与えないように、停電灯装置が設けられている。
【０００４】
従来、この種のエレベータの停電灯装置には、幾つかの装置が提案されている。
【０００５】
その１つは、図１１に示すように、エレベータの乗りかご２１の天井外部に設置されているダクト２２内に電球などの複数の光源２３を取り付け、このダクト２２内から乗りかごの天井を通して、乗りかご内に複数の光ファイバ２４を配設し、これら光ファイバの一端部側から各光源２３の光を照明ケース２５内に導入し、当該光ファイバ２４の他端部から外観上普通の照明器と何ら変わらない発熱のない無発熱の光を発生する光源２６として、乗りかご２１内を照明する構成である。
【０００６】
もう１つは、図１２に示すように、通電時には、金具３１に遮蔽されて停電灯３２が見えない状態となっているが、停電時に、モータ３３を駆動し、回転軸３４を中心に金具を回転させることにより天井面３５に設けられた停電灯装置を、乗りかごの内部に出現させる構成となっている。
【０００７】
【発明が解決しようとする課題】
しかしながら、前者のエレベータの停電灯装置では、意匠性しか優先されない構造であり、乗りかごの内部の照度の確保に問題があるが、乗りかごの内部の照度を一定以上に確保しようとすると、乗りかごの内部に新たに停電灯を設けなければならないので、審美性が劣りかついたずらにより停電灯が破損したりまたは光源が紛失したりといった問題がある。
【０００８】
一方、後者のエレベータの停電灯装置においては、停電時、エレベータの停電灯装置を乗りかごの内部にモータを駆動することにより出現させるため、モータを駆動するために余計な消費電力を取られるので、停電灯の点灯時間が短縮されてしまうという問題がある。
【０００９】
本発明は、上記事情を考慮してなされたもので、停電時の消費電力を抑えることを可能とするエレベータの停電灯装置を提供することを目的とする。
【００１０】
本発明の他の目的は、審美性を向上させ、かついたずらによる停電灯の破損および紛失を防止することにある。
【００１１】
【課題を解決するための手段】
本発明の主旨は、通電時、ケース部をエレベータの乗りかごの天井面上または外側面に保持し、通電再開後、乗りかごの内部からケース部を当該乗りかごの天井面上または外側面に収納する構成により、停電時における消費電力を抑えるという効果を達成することにある。
【００１２】
さて、以上のような本発明の主旨は、具体的には以下のような手段を講じることにより達成される。
【００１３】
第１の発明は、乗りかごの天井面に形成された第１の開口部を通して前記天井面の上部に所定の収納部を形成した取り付け部と、この取り付け部の収納部内に回動可能に軸支され、この軸支側とは反対側の面部に第２の開口部が形成されたケース部と、このケース部の内部に取付けられ、停電時に点灯する停電灯と、ケース部に形成された第２の開口部側の面部に突起体が取付けられ、通電時には収納部にケース部を保持する一方、停電時には自重によって当該ケース部が回動したとき、第２の開口部が乗りかご内を所定の回動角度で臨むような位置で突起体を受け止めるケース位置決め手段とを備え、停電時、停電灯から第２の開口部を通して乗りかご内部を照明するエレベータの停電灯装置である。
【００１４】
これにより、停電時には、自重によって、ケース部が回動したとき、ケース位置決め手段により第２の開口部が乗りかご内を所定の回動角度で臨むような位置でケース部に設けられた突起体を受け止めることにより、ケース部の位置決めがなされるので、停電時の消費電力を抑えることができる。
【００１５】
第２の発明は、第１の発明のエレベータの停電灯装置において、停電復電後、ケース部を第１の開口部から乗りかご天井上部の収納部に引き上げ収納するケース収納手段を設けたエレベータの停電灯装置である。
【００１６】
これにより、第１の発明の作用と同様の作用を奏することができるのに加え、ケース収納手段により、停電復電後にケース部を第１の開口部から乗りかご天井部の収納部に引き上げ収納するので、停電灯が乗りかごの内部から遮蔽されることとなり、審美性が向上すると共に、悪戯による停電灯の破損及び紛失を防止することができる。
【００１７】
第３の発明は、乗りかごの一側面側に形成された第１の開口部を通して、乗りかごの一側面側に所定の収納部を形成した取り付け部と、この取り付け部の収納部内に上端が回動可能に軸支され、下端面部に第２の開口部が形成されたケース部と、このケース部の内部に取付けられ、停電時に点灯する停電灯と、常時、ケース部を乗りかごの内部に押し出す押動手段と、この押動手段によるケース部の押し出しにより当該ケース部が回動したとき、第２の開口部が乗りかご内を所定の回動角度で臨むような位置で阻止するケース位置決め手段と、通電時には押動手段による押し出しに抗してケース部を収納部に収納するケース収納手段とを備えたエレベータの停電灯装置である。
【００１８】
これにより、この取り付け部の収納部内に、上端が回動可能に軸支され、下端面部に第２の開口部が形成されたケース部が、押動手段により、常時、乗りかごの内部に押し出され、この押動手段によるケース部の押し出しにより当該ケース部が回動したとき、ケース位置決め手段により第２の開口部が乗りかご内を所定の回動角度で臨むような位置で阻止される一方、ケース収納手段により通電時には押動手段による押し出しに抗してケース部を収納部に収納するので、停電時の消費電力を抑えることができ、かつ審美性を向上させると共に、悪戯による停電灯の破損及び紛失を防止することができる。
【００１９】
第４の発明は、第２又は第３の発明のエレベータの停電灯装置において、ケース収納手段は、停電灯を内部に収納するケース部を釣支するロープと、通電時、ロープを巻き取るための駆動装置とを備えてなるエレベータの停電灯装置である。
【００２０】
これにより、駆動装置が停電灯を内部に収納するケース部を釣支するロープを、通電時に巻き取るので、通電時に、より一層迅速にケース部を収納することができる。
【００２１】
第５の発明は、第１ないし第３の何れか１つの発明のエレベータの停電灯装置において、ケース部は、磁性材料で構成され、かつ、通電時、ケース部を所定の収納部に保持する電磁石を、さらに設けたエレベータの停電灯装置である。
【００２２】
これにより、通電時、磁性材料からなるケース部が電磁石により所定の収納部に保持されるので、ケース部をより一層確実に乗りかごの天井面または一側面に保持することができる。
【００２３】
【発明の実施の形態】
以下、本発明の各実施の形態について図面を参照して説明する。
【００２４】
＜第１の実施の形態＞
図１は、本発明の第１の実施の形態に係るエレベータの停電灯装置の停電時における様子を示す模式図である。
【００２５】
本実施の形態に係るエレベータの停電灯装置は、エレベータの停電灯装置を取り付けるための取り付け部１と、当該取り付け部１ａに一端を回動自在に固定された金属ケース２ａと、停電灯３ａと、金具（突起体）４ａと、取り付け部１ａに固定されたモータ５ａ（ケース収納手段）と、金具４ａと当該モータ５ａとを結んでいるロープ６ａ（ケース収納手段）とから構成されている。なお、当該エレベータの停電灯装置は、金属ケース２ａの平面形状と略同一形状からなる開口部７ａ（第１の開口部）が設けられた乗りかごの天井面（ケース位置決め手段）８上に設けられている。
【００２６】
取り付け部１ａは、乗りかごの天井面８上に乗りかごと一体または取り外し可能に設けられており、略Ｌ字形状の側面形状を有し、かつ金属ケース２ａを回動自在に取り付けるための回転軸１ａ１が図示しない側面部に設けられている。
【００２７】
回転軸１ａ１は、金属ケース２ａの一端を取り付け部１ａに回動自在となるように固定するものであり、取り付け部１ａの図示しない側面部に設けられている。
【００２８】
金属ケース２ａは、略楕円形形状の側面形状を有し、かつ内部に収容した停電灯から発生される光を、乗りかごの内部に照明するための略四角形形状の開口部９ａを有している。また、金属ケース２ａは、当該開口部９ａの周部に金具４ａが設けられており、エレベータの乗りかごの天井面８に設けられた取り付け部１ａの図示しない側面部に回転軸１ａ１を中心として回動自在に設けられている。また、停電時、金属ケース２ａは、エレベータの乗りかごに設けられた金属ケース２ａの平面形状よりもやや大きい形状の開口部７ａから乗りかごの内部に自重により陥入し、金属ケース２ａに設けられた開口部９ａから乗りかごの内部に照明する構成となっている。
【００２９】
なお、本実施の形態では、金属ケース２ａに設けられた開口部９ａの形状は、略四角形形状であるが、これに限らず、略楕円形形状、及び略円形形状等の任意の形状に変更可能である。
【００３０】
また、本実施の形態では、停電灯３ａを収容するケース部として金属ケース２ａを用いたが、これに限らず、軽量化を図り、かつ、いたずらを阻止する観点から、乗りかごの内部と同系色の塗装を施したアルミ二ウム、又は乗りかごの内部と同系色の強化プラスティック等を用いてもよい。
【００３１】
これにより、乗りかごと同系色でありかつケース部が一定の強度を有するので、審美性がより一層向上するだけでなく、いたずらによる停電灯の破損および紛失を防止することができる。またケース部が軽量であるので、ケース部を保持又は収納するのに要する電力を節減することができる。
【００３２】
停電灯３ａは、金属ケース２ａの内部に収容されており、停電時、図示しない非常用電源から図示しないテールコードを介して電力の供給を受け、金属ケース２ａに設けられた開口部９ａ（第２の開口部）から乗りかごの内部に光を照明するものである。
【００３３】
なお、本実施の形態に係る停電灯装置に用いる停電灯３ａとしては、白熱電球、蛍光灯、クリプトン球、キセノン球、メタルハライドランプ、及び高圧ナトリウムランプ等が利用可能である。
【００３４】
金具４ａは、乗りかごに設けられた開口部７ａから金属ケース２ａが乗りかごの内部に自重により陥入するのを阻止すると共に、金属ケース２ａの位置決めを行うものであり、当該金具４ａが乗りかごに設けられた開口部７ａの周部に衝突することによって回転軸１ａ１を中心として開口部９ａが乗りかご内を所定の回動角度で臨むような位置で天井面８によって受けとめられ、回動する金属ケース２ａが乗りかごの内部に陥入するのを阻止すると共に、金属ケースの位置決めを行う。
【００３５】
モータ５ａは、取り付け部１ａに固定されており、ロープ６ａを介して金具４ａと接続されている。
【００３６】
ロープ６ａは、金属ケース２ａに設けられた金具４ａに接続され、金属ケース２ａの一端を釣支するものであり、駆動したモータ５ａにより巻き取られる。
【００３７】
以上のように構成されたエレベータの停電灯装置の作用に関して図２を用いて説明する。
【００３８】
通電時には、モータ５ａが駆動するにより乗りかごを釣支するロープ６ａを巻き取るので、当該ロープ６ａを介してモータ５ａに接続された金属ケース２ａは、乗りかごの天井面８に保持されている。
【００３９】
この状態で、停電灯３ａは、金属ケース２ａにより乗りかごの内部から遮蔽されているので、乗りかごの内部から確認することができない。
【００４０】
また、本実施の形態では、金属ケース２ａは、乗りかごの内部と同系色であるので、審美性を向上させている。
【００４１】
停電時には、モータ５ａがロープ６ａを巻き取るのを止めるので、金属ケース２ａは、金属ケース２ａ本体と内部に収容した停電灯３ａとの自重によって、回転軸１ａ１を中心として回動して乗りかごに設けられた開口部７ａから、乗りかごの内部に一端が陥入し、当該金属ケース２ａに設けられた金具４ａが乗りかごに設けられた開口部７ａの周部に衝突することによって、図２に示すように乗りかごの内部への陥入を止める。
【００４２】
この状態で、初めて停電灯３ａが乗りかごの内部から確認することができるようになる。
【００４３】
停電灯３ａは、図示しないテールコードを介して図示しない非常用電源から電力の提供を受けて、光を発生し、発生した光を金属ケース２ａの開口部９から乗りかごの内部に照明する。
【００４４】
通電再開後には、駆動を再開したモータ５ａによりロープ６ａが巻き取られるので、金属ケース２ａが乗りかごの天井面８上に収納される。
【００４５】
この状態で、停電灯３ａは、金属ケース２ａによって乗りかごから遮蔽されているので、乗りかごの内部から確認することができない。
【００４６】
上述したように本実施の形態によれば、通電時に、ロープ６ａを巻き取るモータ５ａにより金属ケース２ａが乗りかごの天井面８上に保持され、停電時に、金属ケース２ａが回転軸１ａ１を中心として回動することにより乗りかごに設けられた開口部７ａから乗りかごの内部に自重により陥入し、陥入した金属ケース２ａの開口部９ａから停電灯３ａの光が乗りかごの内部に照明され、金具４ａが乗りかごの開口部７ａの周部に衝突することにより金属ケース２ａが乗りかごの内部に陥入するのが阻止され、通電再開後に、駆動を再開したモータ５ａによりロープ６ａが巻き取られることにより停電灯３ａが乗りかごの内部から見えないように、金属ケース２ａが乗りかごの天井面８上に収納されるので、通電時には、停電灯３ａが乗りかごの内部から見えないので、審美性が向上し、かつ、いたずらによる停電灯３ａの破損および紛失を防止することができると共に、停電時、金属ケース２ａが回転軸１ａ１を中心に回動することによって自重により乗りかごの内部に陥入するので、電力を必要とせず、停電時における消費電力を抑制することができる。
【００４７】
＜第２の実施の形態＞
図３は、本発明の第２の実施の形態に係るエレベータの停電灯装置の通電時における様子を示す模式図である。なお、前述した第１の実施の形態と同一部分に関しては、同一符号を付してその詳しい説明を省略し、ここでは主として異なる部分について説明する。
【００４８】
本実施の形態に係るエレベータの停電灯装置は、第１の実施の形態の構成に、通電時、確実に金属ケースをエレベータの乗りかごの天井面８に保持する観点から、第１の実施の形態に係る金属ケース２ａに代えて磁性材料から形成した金属ケース２ｂにすると共に、通電時、金属ケース２ｂをエレベータの乗りかごの天井面８上に保持する電磁石１０を付加した構成となっている。
【００４９】
なお、本実施の形態に係るエレベータの停電灯装置では、電磁石１０に用いられているコイル１１と、停電検出リレー１２ｂ１と、通電時に電力を供給している交流電源１３とは図４に示すような電気回路を構成している。
【００５０】
この停電検出リレー１２ｂ１の有する接点はｂ接点であり、当該ｂ接点と停電灯３と非常用電源１４とは、図５に示すような別の電気回路を構成している。
【００５１】
通電時には、図４に示す電気回路の電磁石１０のコイル１１に通電すると共に、停電検出リレー１２ｂ１にも通電するので、図５に示す電気回路のｂ接点は、開いた状態になる。
【００５２】
従って、通電時には、金属ケース２ｂは、電磁石１０により吸着されるので、電磁石１０とモータ５ａとの双方によって乗りかごの天井面８上に保持される。
【００５３】
停電時には、図３に示す電気回路の電磁石１０のコイル１１に通電されないと共に、停電検出リレー１２ｂ１にも通電されないので、図５に示す電気回路のｂ接点が閉じた状態になる。
【００５４】
従って、金属ケース２ｂは、電磁石１０により吸着されず、かつモータ５ａによりロープ６ａが巻き取られることもないので、図６に示すように自重により回転軸１ａ１を中心として回動することによって、乗りかごの内部に陥入する。
【００５５】
通電再開後には、駆動を再開したモータ５ａによりロープ６ａが巻き取られるとともに、電磁石１０により金属ケース２ａが吸着されるので、乗りかごの天井面８上に収納される。
【００５６】
上述したように本実施の形態によれば、第１の実施の形態の効果に加え、モータに加えて電磁石１０により、磁性材料からなる金属ケース２ｂを乗りかごの天井面８上に保持するので、通電時、より一層確実に金属ケース２ｂを乗りかごの天井面８上に保持することができる。
【００５７】
＜第３の実施の形態＞
図７は、本発明の第３の実施の形態に係るエレベータの停電灯装置の通電時における様子を示す模式図である。
【００５８】
本実施の形態に係るエレベータの停電灯装置は、エレベータ乗りかごの外側面に設けられた当該エレベータの停電灯装置を取り付けるための取り付け部１ｂ（第２の取り付け部）と、当該取り付け部１ｂに一端を回動自在に固定された金属ケース２ｃと、停電灯３ｂと、金具４ｂ（ケース収納手段）と、取り付け部１に固定されたモータ５ｂ（ケース収納手段）と、金具４ｂと当該モータ５ｂとを結んでいるロープ６ｂ（ケース収納手段）と、バネ（押動手段）１４とから構成されている。
【００５９】
取り付け部１ｂは、第１の実施の形態と同様に略Ｌ字形状の側面形状を有し、回転軸１ａ２が図示しない側面部に設けられている一方、金属ケース２ｃと同一側の面にバネ１４の一端が設けられている。
【００６０】
回転軸１ａ２は、金属ケース２ｃを取り付け部１ｂに、回動可能に取り付けるものであり、図示しない取り付け部１ｂの側面部に設けられている。
【００６１】
金属ケース２ｃは、取り付け部１ｂに、回転軸１ａ２を中心として回動可能に取り付けられている。また、当該金属ケース２ｃには、乗りかごの内部とは反対側の面でかつ開口部９ｂの周部に、当該金属ケース２ｃが乗りかごの内部に押し出されるのを阻止する金具４ｂが設けられ、金属ケース２の乗りかごの内部とは異なる面には、停電時に当該金属ケース２を乗りかごの内部に押し出すバネ１４と、停電時、内部に収容された停電灯３の光を乗りかごの内部に照明するための開口部９ｂとがそれぞれ設けられている。
【００６２】
停電灯３は、第１の実施の形態と同様に、停電時、金属ケース２ｃに設けられた開口部９ｂから、当該開口部９ｂが所定の回動角度で臨むような位置で乗りかごの内部に光を照明するものである。
【００６３】
金具４ｂは、金属ケース２ｃの乗りかごの内部とは反対側の面でかつ開口部９ｂの周部に設けられており、ロープ６ｂによりモータ５ｂと接続されている。
【００６４】
モータ５ｂは、取り付け部１ｂに固定されており、通電時にロープ６ｂを巻き取るものである。
【００６５】
ロープ６ｂは、金具４ｂに接続されており、通電時、モータ５ｂによって巻き取られるものである。
【００６６】
バネ１４は、取り付け部１ｂの金属ケース２ｃと同一側の面に一端が設けられると共に、金属ケース２ｃの乗りかごの内部とは反対側の面に他の一端が設けられている。
【００６７】
以上のように構成されたエレベータの停電灯装置の作用に関して図７を用いて説明する。
【００６８】
通電時には、駆動したモータ５ｂによりロープ６ｂが巻き取られるので、乗りかごの外側面に保持されている。
【００６９】
この状態で、停電灯は、金属ケース２ｃにより乗りかごの内部から遮蔽されているので、乗りかごの内部から確認することができない。
【００７０】
停電時には、モータ５ｂは、ロープ６ｂを巻き取る動作を停止するので、押縮したバネ１４による復元力によって金属ケース２ｃが乗りかごの内部に押し出される。
【００７１】
金属ケース２ｃは、金具４ｂが開口部７ｂの周部に衝突することにより、図８に示すように、金属ケース２ｃに設けられた開口部９ｂが所定の回動角度で、乗りかご内を臨むような位置でそれ以上乗りかごの内部に押し出されるのが阻止される。
【００７２】
この状態で、初めて停電灯３ｂは、乗りかごの内部から確認することができる。
【００７３】
停電灯３ｂは、図示しないテールコードを介して図示しない非常用電源から電力の提供を受けて、光を発生し、発生した光を金属ケース２ｃの開口部９ｂから乗りかごの内部に照明する。
【００７４】
通電再開後には、駆動を再開したモータ５ｂによりロープ６ｂが巻き取られるので、金属ケース２ｃは、乗りかごの外側面に収納される。
【００７５】
この状態で、停電灯３は、金属ケース２ｃによって乗りかごから遮蔽されているので、乗りかごの内部から確認することができない。
【００７６】
上述したように本実施の形態によれば、通電時に、ロープ６ｂを巻き取るモータ５ｂにより金属ケース２ｃが乗りかごの外側面に保持され、停電時に、金属ケース２ｃが回転軸１ａ２を中心として回動することにより乗りかごに設けられた開口部９ｂから乗りかごの内部にバネ１４により押し出され、押し出された金属ケース２ｃの開口部９ｂから停電灯３の光が乗りかごの内部に照明され、金具４ｂが乗りかごの開口部７ｂの周部に衝突することにより金属ケース２ｃが乗りかごの内部に押し出されるのが阻止され、通電再開後に、駆動を再開したモータ５ｂによりロープ６ｂが巻き取られることにより停電灯３が乗りかごの内部から見えないように、金属ケース２ｃが乗りかごの外側面に収納される。
【００７７】
この結果、通電時には、停電灯３ｂが金属ケース２ｃにより遮蔽されているため、乗りかごの内部から見えないので、審美性が向上しかついたずらによる停電灯３ｂの破損および紛失を防止することができると共に、停電時、金属ケース２ｃが回転軸１ａ２を中心に回動することによって電力を使用しないバネ１４により乗りかごの内部に押し出されるので、電力を必要とせず、停電時における消費電力を抑制することができる。
【００７８】
＜第４の実施の形態＞
図９は、本発明の第４の実施の形態に係るエレベータの停電灯装置の通電時における様子を示す模式図であり、図１０は、同実施の形態に係るエレベータの停電時における様子を示す模式図である。なお、前述した第３の実施の形態と同一部分に関しては、同一符号を付して、その詳しい説明を省略し、ここでは主として異なる部分について説明する。
【００７９】
本実施の形態に係るエレベータの停電灯装置は、第３の実施の形態に係る金属ケース２ｃに代えて、磁性材料からなる金属ケース２ｄにすると共に、第２の実施の形態と同様の電磁石１０を付加した構成となっている。
【００８０】
従って、通電時と通電再開時とには、第２の実施の形態及び第３の実施の形態と同様に図９に示すように、電磁石１０とモータ５ｂとにより金属ケース２ｄは、乗りかごの外側面に保持される。
【００８１】
一方、停電時には、第３の実施の形態と同様に図１０に示すようにバネ１４により金属ケース２ｄは、回転軸１ａ２を中心として回動し、乗りかごの内部に金具４ｂが乗りかごに設けられた開口部７ｂの周部に衝突する位置まで押し出される。
【００８２】
上述したように本実施の形態によれば、第３の発明の効果に加え、通電時、モータ５ｂに加えて電磁石１０により磁性材料からなる金属ケース２ｄを乗りかごの外側面に保持するので、通電時、より一層確実に、金属ケース２ｄを乗りかごの外側面に保持することができる。
【００８３】
なお、本発明は、上記各実施の形態に限定されるものでなく、実施段階ではその要旨を逸脱しない範囲で種々に変形することが可能である。
【００８４】
さらに、上記各実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題が解決でき、発明の効果の欄で述べられている効果が得られる場合には、この構成要件が削除された構成が発明として抽出できる。
【００８５】
【発明の効果】
以上詳述したように本発明によれば、審美性を向上させ、かついたずらによる停電灯の破損および紛失を防止すると共に、停電時の消費電力を抑えることが可能なエレベータの停電灯装置を提供できる。
【図面の簡単な説明】
【図１】本発明の第１の実施の形態に係るエレベータの停電灯装置の通電時における様子を示す模式図。
【図２】同実施の形態に係るエレベータの停電灯装置の停電時における様子を示す模式図。
【図３】本発明の第２の実施の形態に係るエレベータの停電灯装置の通電時における様子を示す模式図。
【図４】同実施の形態に係る電磁石のコイルが構成する電気回路の一例を示す模式図。
【図５】同実施の形態に係る停電検出リレーのｂ接点が構成する電気回路の一例を示す模式図。
【図６】同実施の形態に係るエレベータの停電灯装置の停電時における様子を示す模式図。
【図７】本発明の第３の実施の形態に係るエレベータの停電灯装置の通電時における様子を示す模式図。
【図８】同実施の形態に係るエレベータの停電灯装置の停電時における様子を示す模式図。
【図９】本発明の第４の実施の形態に係るエレベータの停電灯装置の通電時における様子を示す模式図。
【図１０】同実施の形態に係るエレベータの停電灯装置の停電時における様子を示す模式図。
【図１１】従来から用いられているエレベータの停電灯装置の一例を示す模式図。
【図１２】従来から用いられているエレベータの停電灯装置の他の一例を示す模式図。
【符号の説明】
１ａ、１ｂ…取り付け部、１ａ１、１ａ２…回転軸、２ａ、２ｂ、２ｃ、２ｄ…金属ケース、３ａ、３ｂ…停電灯、４ａ、４ｂ…金具、５ａ、５ｂ…モータ、６ａ、６ｂ…ロープ、７ａ、７ｂ…開口部、８…乗りかごの天井面、９ａ、９ｂ…開口部、１０…電磁石、１１…コイル、１２ｂ１…停電検出リレー、１２ｂ２…ｂ接点、１３…交流電源、１４…非常用電源、１５…バネ
【図１】
2004277154.tif 000003
【図２】
2004277154.tif 000004
【図３】
2004277154.tif 000005
【図４】
2004277154.tif 000006
【図５】
2004277154.tif 000007
【図６】
2004277154.tif 000008
【図７】
2004277154.tif 000009
【図８】
2004277154.tif 000010
【図９】
2004277154.tif 000011
【図１０】
2004277154.tif 000012
【図１１】
2004277154.tif 000013
【図１２】
2004277154.tif 000014